(57)【要約】【課題】携帯端末装置の所有者が自宅や外出先等のオフィス外にいる場合、オフィス内の状況を知ることができなかった。【解決手段】決められた共有空間の状況に関する空間情報と、前記共有空間に関係する決められたメンバーに関する投稿情報とに基づき、前記空間情報が取得された前記共有空間における時刻および前記投稿情報が投稿された時刻を参照して、前記投稿情報が投稿された時刻に関連する前記空間情報を当該投稿情報とともに表示させる共有情報を生成する。【選択図】図５
2014010632.tif 000002
【特許請求の範囲】
【請求項１】
決められた共有空間の状況に関する空間情報を前記共有空間における時刻と対応付けて入力する第１入力部と、
前記共有空間に関係する決められたメンバーに関する投稿情報を前記投稿情報が投稿された時刻と対応付けて入力する第２入力部と、
前記第１入力部が入力した前記空間情報および前記第２入力部が入力した前記投稿情報に基づき、前記投稿情報と前記投稿情報のそれぞれ対応付けられている時刻を参照して、前記投稿情報が投稿された時刻に関連する前記空間情報を当該投稿情報とともに表示部に表示させるための共有情報を生成する表示情報生成部と、
を備えることを特徴とする情報処理装置。
【請求項２】
ユーザからの操作を受け付ける操作部をさらに備え、
前記表示情報生成部は、
前記表示部に表示されている前記空間情報に対応付けられている時刻に従って前記表示部に表示されている前記空間情報を変更するための操作を前記ユーザから前記操作部を介して受け付けた場合、変更された時刻に対応する前記空間情報を前記表示部に表示させるとともに、変更された時刻に投稿された前記投稿情報を前記表示部に表示させるための前記共有情報を生成することを特徴とする請求項１に記載の情報処理装置。
【請求項３】
前記メンバーの現在位置を示す位置情報を入力する第３入力部をさらに備え、
前記表示情報生成部は、
前記第２入力部が入力した前記投稿情報および前記第３入力部が入力した前記位置情報に基づき、前記投稿情報が投稿された地図上の位置に関連付けて前記投稿情報を前記表示部に表示させるための前記共有情報を生成することを特徴とする請求項１あるいは２に記載の情報処理装置。
【請求項４】
前記表示情報生成部は、
前記第３入力部が入力した前記位置情報に基づき、前記共有空間における前記メンバーの位置を示す情報を前記表示部に表示させるための前記共有情報を生成することを特徴とする請求項３に記載の情報処理装置。
【請求項５】
前記空間情報は、
前記共有空間を撮像した画像、前記共有空間において消費された消費電力、前記共有空間において収音された音声、前記共有空間において検出された温度、湿度あるいは照度、前記共有空間における人間の存在状況、前記共有空間に設置された複合機の出力量、前記共有空間における快適指数、または、前記共有空間に関連する連絡事項にうち少なくとも１つを示す情報であることを特徴とする請求項１から４のうちいずれか一項に記載の情報処理装置。
【請求項６】
前記投稿情報は、
前記メンバー毎に割り当てら得た端末から送信される情報であって、前記端末から投稿したテキスト、画像、音声、または、スケジュールのうち少なくとも１つを示す情報であることを特徴とする請求項１から５のうちいずれか一項に記載の情報処理装置。
【請求項７】
決められた共有空間の状況に関する空間情報と、前記共有空間に関係する決められたメンバーに関する投稿情報とに基づき、前記空間情報が取得された前記共有空間における時刻および前記投稿情報が投稿された時刻を参照して、前記投稿情報が投稿された時刻に関連する前記空間情報を当該投稿情報とともに表示させるための共有情報を受信する通信部と、
前記共有情報に基づき、前記投稿情報が投稿された時刻に関連する前記空間情報を当該投稿情報とともに表示部に表示させる表示制御部と
を備えることを特徴とする表示制御装置。
【請求項８】
コンピュータを、
決められた共有空間の状況に関する空間情報を前記共有空間における時刻と対応付けて入力する第１入力手段、
前記共有空間に関係する決められたメンバーに関する投稿情報を前記投稿情報が投稿された時刻と対応付けて入力する第２入力手段、
前記第１入力手段が入力した前記空間情報および前記第２入力手段が入力した前記投稿情報に基づき、前記投稿情報と前記投稿情報のそれぞれ対応付けられている時刻を参照して、前記投稿情報が投稿された時刻に関連する前記空間情報を当該投稿情報とともに表示手段に表示させる共有情報を生成する表示情報生成手段、
として機能させるためのプログラム。
【発明の詳細な説明】
【技術分野】
【０００１】
本発明は、情報処理装置、表示制御装置、およびプログラムに関する。
【背景技術】
【０００２】
例えば、携帯端末装置にて撮像された現場の撮像画像をネットワーク上に投稿するシステムがある。携帯端末装置のＩＤを用いて、撮像された撮像画像と、この撮像画像が撮像された位置を示す位置情報とを対応付けてデータベースに登録する。そして、撮像画像を表示部に表示する場合、ＩＤをキーとして、それぞれ対応付けられている撮像画像と位置情報とを抽出する（例えば、特許文献１参照）。これにより、投稿された画像を地図上に表示することができる。
【先行技術文献】
【特許文献】
【０００３】
【特許文献１】特開２０１１−２４８７０８号公報
【発明の概要】
【発明が解決しようとする課題】
【０００４】
近年ではテレワークでの働き方が増大する傾向にあり、在宅勤務等のオフィスに捕らわれない働き方が多くなっている。しかしながら、このように携帯端末装置の所有者が、自宅や外出先等のオフィス外にいる場合、自分の所属するオフィス内の状況、環境、雰囲気等を知ることは出来なかった。
このように、オフィス内の状況、環境、雰囲気等を組織に所属するもの同士が共有できない場合には、オフィス外にいることが多い者の組織への帰属意識が低下してしまったり、組織に所属するもの同士と円滑なコミュニケーションを図ることができなくなってしまうというおそれがあった。
【０００５】
本発明は、上記の課題を解決することができる情報処理装置、表示制御装置、およびプログラムを提供することを目的とする。
【課題を解決するための手段】
【０００６】
この発明は上述した課題を解決するためになされたもので、本発明の一態様に係る情報処理装置は、決められた共有空間の状況に関する空間情報を前記共有空間における時刻と対応付けて入力する第１入力部と、前記共有空間に関係する決められたメンバーに関する投稿情報を前記投稿情報が投稿された時刻と対応付けて入力する第２入力部と、前記第１入力部が入力した前記空間情報および前記第２入力部が入力した前記投稿情報に基づき、前記投稿情報と前記投稿情報のそれぞれ対応付けられている時刻を参照して、前記投稿情報が投稿された時刻に関連する前記空間情報を当該投稿情報とともに表示部に表示させるための共有情報を生成する表示情報生成部と、を備える。
【０００７】
また、本発明の一態様に係る情報処理装置は、ユーザからの操作を受け付ける操作部をさらに備える。前記表示情報生成部は、前記表示部に表示されている前記空間情報に対応付けられている時刻に従って前記表示部に表示されている前記空間情報を変更するための操作を前記ユーザから前記操作部を介して受け付けた場合、変更された時刻に対応する前記空間情報を前記表示部に表示させるとともに、変更された時刻に投稿された前記投稿情報を前記表示部に表示させるための前記共有情報を生成する。
【０００８】
また、本発明の一態様に係る情報処理装置は、前記メンバーの現在位置を示す位置情報を入力する第３入力部をさらに備える。前記表示情報生成部は、前記第２入力部が入力した前記投稿情報および前記第３入力部が入力した前記位置情報に基づき、前記投稿情報が投稿された地図上の位置に関連付けて前記投稿情報を前記表示部に表示させるための前記共有情報を生成する。
【０００９】
また、本発明の一態様に係る情報処理装置において、前記表示情報生成部は、前記第３入力部が入力した前記位置情報に基づき、前記共有空間における前記メンバーの位置を示す情報を前記表示部に表示させるための前記共有情報を生成する。
【００１０】
また、本発明の一態様に係る情報処理装置において、前記空間情報は、前記共有空間を撮像した画像、前記共有空間において消費された消費電力、前記共有空間において収音された音声、前記共有空間において検出された温度、湿度あるいは照度、前記共有空間における人間の存在状況、前記共有空間に設置された複合機の出力量、前記共有空間における快適指数、または、前記共有空間に関連する連絡事項にうち少なくとも１つを示す情報である。
【００１１】
また、本発明の一態様に係る情報処理装置において、前記投稿情報は、前記メンバー毎に割り当てら得た端末から送信される情報であって、前記端末から投稿したテキスト、画像、音声、または、スケジュールのうち少なくとも１つを示す情報である。
【００１２】
この発明は上述した課題を解決するためになされたもので、本発明の一態様による表示制御装置は、決められた共有空間の状況に関する空間情報と、前記共有空間に関係する決められたメンバーに関する投稿情報とに基づき、前記空間情報が取得された前記共有空間における時刻および前記投稿情報が投稿された時刻を参照して、前記投稿情報が投稿された時刻に関連する前記空間情報を当該投稿情報とともに表示させるための共有情報を受信する通信部と、前記共有情報に基づき、前記投稿情報が投稿された時刻に関連する前記空間情報を当該投稿情報とともに表示部に表示させる表示制御部と、を備える。
【００１３】
この発明は上述した課題を解決するためになされたもので、本発明の一態様によるプログラムは、コンピュータを、決められた共有空間の状況に関する空間情報を前記共有空間における時刻と対応付けて入力する第１入力手段、前記共有空間に関係する決められたメンバーに関する投稿情報を前記投稿情報が投稿された時刻と対応付けて入力する第２入力手段、前記第１入力手段が入力した前記空間情報および前記第２入力手段が入力した前記投稿情報に基づき、前記投稿情報と前記投稿情報のそれぞれ対応付けられている時刻を参照して、前記投稿情報が投稿された時刻に関連する前記空間情報を当該投稿情報とともに表示手段に表示させる共有情報を生成する表示情報生成手段、として機能させるためのプログラムである。
【発明の効果】
【００１４】
本発明によれば、共有空間にいない場合であっても、共有空間内の状況や、共有空間に関係するメンバーの状況を共有することができる。
【図面の簡単な説明】
【００１５】
【図１】本発明の一実施形態に係る情報処理システムの概略構成の一例を示す図である。
【図２】本発明の一実施形態に係る情報処理システムの概要について説明するための図である。
【図３】本発明の一実施形態に係る情報処理システムにおいて共有される共有情報の一例を説明するための図である。
【図４】本発明の一実施形態に係る情報処理システムにおいて共有される共有情報の他の例を説明するための図である。
【図５】本発明の一実施形態に係る情報処理装置の構成の一例を示すブロック図である。
【図６】本発明の一実施形態に係る空間情報管理テーブルの一例を示す図である。
【図７】本発明の一実施形態に係る空間情報管理テーブルの他の例を示す図である。
【図８】本発明の一実施形態に係る投稿情報管理テーブルの一例を示す図である。
【図９】本発明の一実施形態に係る位置情報管理テーブルの一例を示す図である。
【図１０】本発明の一実施形態に係るユーザ端末の構成の一例を示すブロック図である。
【図１１】本発明の一実施形態に係る共有空間の状況を視覚化の一例を示す図である。
【図１２】本発明の一実施形態に係る消費電力量照明装置の一例を示す図である。
【図１３】本発明の一実施形態に係る情報処理システムにおいて共有される共有情報の他の例を説明するための図である。
【発明を実施するための形態】
【００１６】
以下、図面を参照して本発明の一実施形態について説明する。図１は、本発明の一実施形態に係る情報処理システム１の概略構成を示す図である。
図１に示す通り、本実施形態に係る情報処理システム１は、情報処理装置１０と、複数のユーザ端末２０（２０＿１，２０＿２，２０＿３・・・２０＿ｎ）とを備える。この情報処理装置１０と、複数のユーザ端末２０とは、それぞれネットワークＮＷを介して通信可能に接続されている。
また、この本実施形態に係る情報処理装置１０は、ネットワークＮＷを介して、カメラ３０と、電力検出装置４０と、温度湿度取得装置５０と、マイク６０と、ＩＤ読取装置７０と、消費電力量照明装置８０と、それぞれネットワークＮＷを介して通信可能に接続されている。
【００１７】
ここで、図２を参照して、本実施形態に係る情報処理システム１の概要について説明する。図２は、本実施形態に係る情報処理システム１の概要について説明するための図である。
この情報処理システム１は、会社や学校、公共施設等に所属する社員や生徒、職員が、所属している会社や学校、公共施設等における状況や、他の社員や他の生徒、他の職員の状況を、ネットワークを介して共有するための情報を提供するシステムとして利用可能である。本実施形態では、会社に所属する社員（以下、メンバーという）が、オフィス（以下、共有空間という）内での状況や、他のメンバーの状況を共有するための情報を、各メンバーに提供する情報処理システム１の一例について、以下説明する。
なお、このメンバーに関する個人情報は、事前に情報処理装置１０に登録されている。この個人情報として、例えば、メンバーの氏名、所属部門、社員番号、電話番号、アドレス、アイコン画像、およびアバター画像等が、情報処理装置１０に登録されている。
【００１８】
共有空間内には、例えば、カメラ３０と、電力検出装置４０と、温度湿度取得装置５０と、マイク６０と、ＩＤ読取装置７０と、消費電力量照明装置８０とが設置されている。
カメラ３０は、共有空間内を撮像する所定位置に設置されており、共有空間を撮像した画像データを、ネットワークＮＷを介して、情報処理装置１０に送信する。なお、カメラ３０は、共有空間の複数個所に設定されているものであってもよい。
電力検出装置４０は、共有空間において消費される消費電力を検出する。この電力検出装置４０は、例えば、共有空間に設置されている照明装置や、パーソナルコンピュータ、プリンター、エアコン、空気清浄機等の電気機器が消費した電力を検出する。電力検出装置４０は、例えば、単位時間当たりに検出した商用電力の電力量を示す情報を消費電力量情報として、ネットワークＮＷを介して情報処理装置１０に送信する。なお、電力検出装置４０は、共有空間の複数個所に設定されているものであってもよい。
【００１９】
温度湿度取得装置５０は、温度センサ５１によって検出された共有空間における温度を示す温度情報と、湿度センサ５２によって検出された共有空間における湿度を示す湿度情報とを、それぞれ取得する。この温度湿度取得装置５０は、取得した温度情報と湿度情報とを、ネットワークＮＷを介して情報処理装置１０に送信する。なお、温度湿度取得装置５０は、共有空間の複数個所に設定されているものであってもよい。
マイク６０は、共有空間における音声を収音し、収音された音情報を、ネットワークＮＷを介して情報処理装置１０に送信する。なお、マイク６０は、共有空間の複数個所に設定されているものであってもよい。
【００２０】
ＩＤ読取装置７０は、共有空間内の出入口付近に設置され、ＩＤ読取装置７０ごとに識別情報（以下、読取装置ＩＤという）が割り当てられている。このＩＤ読取装置７０は、メンバーが所持しているＩＤカードと近距離通信を行い、このメンバーのＩＤカードからメンバーごとに割り当てられた識別情報（以下、メンバーＩＤという）を読み取る。ＩＤ読取装置７０は、読み取ったメンバーＩＤに自身の読取装置ＩＤを対応付けた情報を、ネットワークＮＷを介して情報処理装置１０に送信する。なお、ＩＤ読取装置７０は、共有空間の複数個所に設定されているものであってもよい。
【００２１】
消費電力量照明装置８０は、照明装置を備え、情報処理装置１０から入力する制御信号に基づき、照明装置の発光色を変更させる。本実施形態において、消費電力量照明装置８０は、消費電力量に応じて発光色を変更させる。この消費電力量照明装置８０は、例えば、消費電力の合計値が閾値未満である場合、青色の発光色で発光し、消費電力の合計値が閾値以上である場合、赤色の発光色で発光するように制御される。なお、消費電力量照明装置８０は、共有空間の複数個所に設定されているものであってもよい。
【００２２】
なお、本実施形態において、情報処理装置１０は、上述のカメラ３０と、電力検出装置４０と、温度湿度取得装置５０と、マイク６０と、ＩＤ読取装置７０によって取得される情報（例えば、画像データ、消費電力量情報、温度情報、湿度情報、音情報、および読取装置ＩＤとメンバーＩＤ）を、空間情報として入力する。空間情報とは、共有空間の状況に関する情報である。
この空間情報は、これら情報に限られず、例えば、共有空間における人間の存在状況、共有空間に設置された複合機（プリンター）の出力量、共有空間における快適指数、または、共有空間に関連する連絡事項、共有空間における照度を示す照度情報、等を示す情報、あるいは、これら情報を算出するためのもととなる情報であってもよい。
【００２３】
共有空間における人間の存在状況とは、共有空間内に何人のメンバーが存在しているのか、どのエリアにメンバーが集中しているのか、等の共有空間における人間の存在状況である。
【００２４】
共有空間に設置された複合機（プリンター）の出力量は、各複合機が印刷した印刷量を示す情報である。この出力量には、例えば、単位時間当たりに印刷した紙の枚数を示す情報が含まれる。またこれに限られず、各複合機のインク残量や、用紙の残量等を示す情報が、空間情報に含まれるものであってもよい。
【００２５】
共有空間における快適指数とは、例えば、各メンバーが投稿した快適指数に基づき、共有空間に存在しているメンバーの快適指数の平均値等で示される共有空間における快適さを示す情報である。この快適指数は、例えば、ユーザ端末２０から送信される快適指数を示す情報に基づき、情報処理装置１０によって算出される。なお、共有空間における快適指数は、共有空間内のエリアごとに取得されるものであってもよい。つまり、ユーザ端末２０は、快適指数を示す情報を情報処理装置１０に送信する場合、このユーザ端末２０の位置を示す位置情報を快適指数を示す情報に対応付けて、情報処理装置１０に送信する。情報処理装置１０は、受信した位置情報と快適指数を示す情報に基づき、共有空間内のエリア毎の快適指数を算出する。
また、この共有空間における快適指数は、共有空間の温度情報や湿度情報を参照して、情報処理装置１０によって算出されるものであってもよい。
【００２６】
共有空間に関連する連絡事項とは、各メンバーが投稿したスケジュール情報や、この情報処理システム１の管理者が投稿したインフォメーション情報、カレンダーで表わされる日時や曜日を示す情報等を含む。
この各メンバーが投稿したスケジュール情報には、例えば、打ち合わせの日時や打ち合わせ相手の名前、外出先や、ミーティングの日時とその参加メンバー等の情報が含まれる。
また、情報処理システム１の管理者が投稿したインフォメーション情報には、例えば、設備メンテナンスの実施時期や対象設備の情報、設備メンテナンスに伴う立ち入り禁止エリアの情報、イベント開催に伴う貸し切りエリアの情報、会社で開催されるセミナーの開催日時や開催場所の情報や、顧客からのお知らせ、緊急事態時に危険性を周知させる情報や、緊急時における対処情報等、その他、メンバー同士で共有が必要な情報が含まれる。
【００２７】
共有空間における照度を示す照度情報は、共有空間に設置された照度計（照度センサ）によって検出された共有空間の照度を示す情報である。
【００２８】
情報処理装置１０は、この空間情報を入力する際、共有空間おける現在時刻とこの空間情報とをそれぞれ対応付ける。入力する空間情報に時刻情報が対応付けられている場合、例えば、カメラ３０が撮像した撮像時刻を示す情報と画像データとがそれぞれ対応付けられている場合、情報処理装置１０は、対応付けられた情報を入力する。また、空間情報に時刻情報が対応づけられていない場合、情報処理装置１０は、この空間情報を受信した時刻を示す時刻情報と空間情報とを対応付ける。
【００２９】
また、情報処理装置１０には、共有空間に関係する決められたメンバーに関する投稿情報を入力する。この情報処理装置１０は、投稿情報として、例えば、１５０字程度の比較的短い文書の投稿情報や、比較的長い文書や添付画像等を含む投稿情報が、ユーザ端末２０を介して、各メンバーから投稿される情報を入力する。なお、本発明はこれに限られず、投稿情報として、メンバーの身につけている万歩計（登録商標）や体温計等によって計測された計測結果を示す情報がユーザ端末２０から情報処理装置１０（あるいは、情報処理装置１０に直接）に送信されるものであってもよい。つまり、投稿情報とは、メンバーが積極的に情報処理装置１０に投稿した情報に限られず、自動的に情報処理装置１０に送信されるメンバーに関する情報も含まれる。また、投稿情報は、メンバーによってユーザ端末２０を介して情報処理装置１０に送信する情報を含み、テキストデータや、音声データや、画像データ、映像データ、その他アンケートに答えた結果や、スケジュールを示す情報等を含む。
【００３０】
この情報処理装置１０は、この投稿情報を入力する際、この投稿情報を共有空間における時刻と対応付ける。入力する投稿情報に時刻情報が対応付けられている場合、例えば、ユーザ端末２０がネットワーク上に投稿情報を投稿した投稿時刻を示す情報と投稿情報とがそれぞれ対応付けられている場合、情報処理装置１０は、対応付けられた情報を入力する。また、投稿情報に時刻情報が対応づけられていない場合、情報処理装置１０は、この投稿情報を受信した時刻を示す時刻情報と投稿情報とを対応付ける。
【００３１】
さらに、情報処理装置１０には、各メンバーの現在位置を示す位置情報が入力する。この情報処理装置１０は、位置情報として、例えば、ユーザ端末２０がＧＰＳ（Global Positioning System）衛星から受信した位置情報を、各ユーザ端末２０から入力する。
また、情報処理装置１０は、共有空間内に設置されたＩＤ読取装置７０によって読み取られたメンバーの識別情報（メンバーＩＤ）を、位置情報として入力するものであってもよい。このＩＤ読取装置７０は、共有空間内の出入口付近に設置され、ＩＤ読取装置７０ごとに識別情報（読取装置ＩＤ）が割り当てられている。情報処理装置１０は、ＩＤ読取装置７０から、メンバーＩＤと読取装置ＩＤとを入力し、読取装置ＩＤが示すＩＤ読取装置７０が設置されている共有空間内の位置に、メンバーＩＤが示すメンバーが存在していることを判定することができる。
また、情報処理装置１０は、このメンバーＩＤと読取装置ＩＤとを含む位置情報に基づき、メンバーの共有空間内への出入や、共有空間内の移動を判定することができる。よって、情報処理装置１０は、共有空間内に何人のメンバーが存在しているのか、どのエリアにメンバーが集中しているのか、等の共有空間における人間の存在状況を判定することができる。
【００３２】
情報処理装置１０は、例えば、入力する空間情報と投稿情報に基づき、投稿情報が投稿された時刻に関連する空間情報を投稿情報とともに表示部２２に表示させる共有情報を生成する。また、情報処理装置１０は、例えば、入力する位置情報に基づき、投稿情報が投稿された地図上の位置に関連付けて、投稿情報を表示部２２に表示させる共有情報を生成する。
この情報処理装置１０は、生成した共有情報を、ユーザ端末２０に提供する。このとき、情報処理装置１０は、生成した共有情報を、ネットワークＮＷを介して各ユーザ端末２０に送信するものであってよい。また、ユーザ端末２０が、情報処理装置１０にアクセスして、情報処理装置１０に保存されている共有情報を取得するものであってもよい。さらに、ユーザ端末２０は、共有情報の全てを情報処理装置１０から一括で受信するものであってもよく、ユーザ端末２０に入力される操作内容に応じて、必要な情報の送信をその都度、情報処理装置１０に要求するものであってもよい。
【００３３】
このようにして、空間情報や投稿情報をメンバー間で共有することにより、異なる時間や場所にいるメンバー同士であっても、各ユーザ端末２０を介して共有情報を閲覧することができる。よって、共有空間にいない場合であっても、共有空間にいるようなイメージをメンバーに喚起させることができる。
【００３４】
次に、図３を参照して、情報処理装置１０が生成する共有情報の一例について説明する。図３は、本実施形態に係る情報処理システムにおいて共有される共有情報の一例を説明するための図である。
共有情報は、空間情報や投稿情報を表示部２２に表示させるための情報を含む。例えば、共有情報が、ＨＴＴＰ（Ｈｙｐｅｒ Ｔｅｘｔ Ｔｒａｎｓｆｅｒ Ｐｒｏｔｏｃｏｌ）で記載されている場合、このプロトコルに従って表示形式を記載した情報が含まれている。図３に示す例では、共有情報に基づき、パーソナルコンピュータであるユーザ端末２０に表示される共有メイン画面を例に、以下説明する。
【００３５】
この共有メイン画面には、共有空間内を撮像した撮像画像を表示するカメラ情報表示エリアＡ１と、共有空間内における消費電力を示す消費電力表示エリアＡ２と、メンバーからの投稿情報を表示する投稿情報表示エリアＡ３と、メンバーに関するその他情報を表示するメンバー情報表示エリアＡ４とを含む。
【００３６】
カメラ情報表示エリアＡ１には、例えば、共有空間の俯瞰図Ｂ１と、この共有空間内においてカメラ３０によって撮像された撮像画像とが表示される。
共有空間には、複数のカメラ３０が設置されており、各カメラ３０によって撮像された撮像画像Ｄ１，Ｄ２，Ｄ３・・・が情報処理装置１０に入力される。ユーザ端末２０は、各カメラ３０によって撮像された撮像画像Ｄ１，Ｄ２，Ｄ３・・・をカメラ情報表示エリアＡ１に表示する。カメラ３０によって撮像される撮像画像が多数に及ぶ場合、このユーザ端末２０は、このカメラ情報表示エリアＡ１に全ての撮像画像Ｄ１，Ｄ２，Ｄ３・・・が表示することができない。よって、ユーザ端末２０は、俯瞰図Ｂ１における位置がユーザによって指定された場合、指示された位置に設置されているカメラ３０によって撮像された撮像画像を拡大して表示し、その他のカメラ３０によって撮像された撮像画像のうち限られた個数の撮像画像を縮小して表示する。
本実施形態において、このカメラ情報表示エリアＡ１には、図示の通り、ユーザによって指定された俯瞰図Ｂ１における位置に設置されたカメラ３０により撮像された撮像画像（以下、メイン撮像画像という）Ｂ２を最も大きく表示され、この拡大画像の下に、その他のカメラ３０によって撮像された限られた個数の撮像画像の縮小画像（以下、サブ撮像画像という）Ｂ３を表示される。
【００３７】
また、カメラ情報表示エリアＡ１には、俯瞰図Ｂ１における位置がユーザによって指定された場合、この指定されたメイン撮像画像Ｂ２を時間軸方向に変化させるためのタイムラインＢ４が表示される。このタイムラインＢ４に表示されている時刻指定アイコンＢ５がタイムライン上で移動されることにより、ユーザ端末２０は、メイン撮像画像Ｂ１をタイムラインにおいて指定されている時刻に撮像された撮像画像に変更する。
【００３８】
消費電力表示エリアＡ２には、例えば、消費電力の時系列の変化を示すグラフ（以下、消費電力グラフという）を表示する。この消費電力グラフは、例えば、電力を消費する電気機器ごとに決められえた色で、消費電力の内訳を示す積算グラフである。
本実施形態において、この消費電力グラフの内訳は、空調グラフＧ１と、照明グラフＧ２と、コンセントグラフＧ３である。
空調グラフＧ１は、共有空間に設置されたエアコンや空気清浄機等の空調設備によって消費された消費電力量を示すグラフである。
照明グラフＧ２は、共有空間に設置された照明機器によって消費される消費電力量を、空調グラフＧ１の値に積算した消費電力量を示すグラフである。
コンセントグラフＧ３は、共有空間に設置されたコンセントを介して消費される消費電力量を、照明グラフＧ２の値に積算した消費電力量を示すグラフである。なお、コンセントグラフＧ３は、全体の消費電力の積算値を示すグラフと同じである。
【００３９】
これら空調グラフＧ１、照明グラフＧ２、およびコンセントグラフＧ３には、消費電力表示エリアＡ２に表示されているタイムラインＢ４に連動して各グラフ上を移動するタイムライン時間軸バーＧ４が重畳して表示される。なお、空調グラフＧ１、照明グラフＧ２、およびコンセントグラフＧ３のそれぞれと、このタイムライン時間軸バーＧ４とが交わる部分には、アイコンが表示される。
消費電力表示エリアＡ２には、空調グラフＧ１、照明グラフＧ２、およびコンセントグラフＧ３のそれぞれと、このタイムライン時間軸バーＧ４とが交わる部分の各消費電力量を示す吹き出しＧ５が表示される。図示の例では、この吹き出しＧ５には、タイムライン時間軸バーＧ４が示す日時、つまり、カメラ情報表示エリアＡ１に表示されているタイムラインＢ４において指定されている日時（指定時刻）を示す情報（例えば、３月１９日  １５時５０分）が表示されている。また、吹き出しＧ５には、この日時（指定時刻）における各グラフの消費電力が表示されている。具体的には、空調グラフＧ１の値（空調：２．１５ｋｗ）、照明グラフＧ２の値から空調グラフＧ１の値を減算した値（照明：１．９５ｋｗ）、コンセントグラフＧ３の値から照明グラフＧ２の値を減算した値（コンセント：５．１ｋｗ）、および、この消費電力グラフの積算値、つまり、消費電力量の合計値（合計：９．１９ｋｗ）が表示されている。
なお、吹き出しＧ５に表示される情報も、カメラ情報表示エリアＡ１に表示されているタイムラインＢ４上の指定時刻に連動して、変更される。
【００４０】
投稿情報表示エリアＡ３には、投稿情報を入力する投稿情報入力エリアＣ１と、投稿情報表示エリアＣ２とを含む。
この投稿情報入力エリアＣ１には、文字や数字を書き込む記述スペースや、この投稿情報に添付するファイルを指定する「ファイルを選択」アイコンや、記述スペースに書き込まれた情報を投稿情報として情報処理装置１０に送信することを指示する「送信」アイコンが表示される。
投稿情報表示エリアＣ２には、メンバーが投稿した過去の投稿情報を表示する。この投稿情報表示エリアＣ２に表示されている投稿情報は、投稿された時刻に従って、時系列に並べられている。また、各メンバーが事前に登録しているアイコン画像が投稿情報とともに表示されている。これにより、投稿情報を投稿したメンバーを視覚的に認識しやすくなる。
【００４１】
メンバー情報表示エリアＡ４には、例えば、各メンバーの名前や所属を示す情報や、各メンバーの出勤の有無を示す情報、あるいは、各メンバーの投稿情報の投稿状況等を示す情報を表示する。
なお、メンバー情報表示エリアＡ４には、これに限られず、共有空間内の各施設の利用状況や、スケジュール、カレンダー、あるいは連絡事項等を表示するものであってもよい。
【００４２】
また、この共有メイン画面には、他の共有情報を表示する他の共有画面に移動するためのアイコン（以下、画面切替タブという）が表示されている。この共有メイン画面には、地図画像にメンバーの位置情報を表示する共有地図画面に切り替えるための画面切替タブ（図において、「ＭＡＰ」と表示）Ｅ１が表示されている。
【００４３】
次に、図４を参照して、情報処理装置１０が生成する共有情報の一例について説明する。図４は、本実施形態に係る情報処理システムにおいて共有される共有情報の他の例を説明するための図である。図４に示す画面は、地図画像にメンバーの位置情報を表示する共有地図画面である。例えば、図３に示す共有メイン画面に表示されている画面切替タブＥ１がクリックされることにより、ユーザ端末２０は、表示部２２に表示している画面を、共有メイン画面から共有地図画面に切り替える。
【００４４】
この共有地図画面には、位置情報表示エリアＦ１を含む。本実施形態において、位置情報表示エリアＦ１は、共有メイン画面におけるカメラ情報表示エリアＡ１、消費電力表示エリアＡ２、および投稿情報表示エリアＡ３に相当する領域である。このため、共有メイン画面に表示されているメンバー情報表示エリアＡ４は、そのまま、共有地図画面にも表示されている。
【００４５】
この位置情報表示エリアＦ１には、例えば、共有空間であるオフィスと、その周辺を示す地図が表示されている。図示の例では、東京２３区の簡易的な地図が表示されている。
この地図上には、位置情報を取得したメンバーの位置を示すアイコンＨ１が表示されている。このメンバーの位置を示すアイコンＨ１の近くには、このメンバーが投稿した投稿情報を表示する吹き出しＨ２が表示されている。この吹き出しＨ２には、メンバーの投稿情報と、メンバーのアイコン画像が表示されている。
また、地図上には、共有空間であるオフィスの位置を示すアイコンＨ３が表示されている。このオフィスの位置を示すアイコンＨ３の近くには、このオフィスである共有空間に関する空間情報を表示する吹き出しＨ４が表示されている。この吹き出しＨ４には、空間情報として、例えば、カメラ３０が共有空間を撮像した撮像画像が表示されている。
さらに、位置情報表示エリアＦ１には、地図上に表示される位置情報を時間軸方向に変化させるためのタイムラインＨ５を表示される。ユーザ端末２０は、このタイムラインＨ５に表示されている時刻指定アイコンＨ６がタイムラインＨ５上で移動されることにより、位置情報表示エリアＦ１に表示されるメンバーの位置情報を示すアイコンＨ１と吹き出しＨ２を、タイムラインＨ５において指定された時刻（指定時刻）に連動して変更することができる。
【００４６】
次に、図５を参照して、本実施形態に係る情報処理装置１０の構成例について説明する。図５は、本実施形態に係る情報処理装置１０の構成の一例を示すブロック図である。この情報処理装置１０は、入力部１１と、登録部１２と、記憶部１３と、表示情報生成部１４と、情報解析部１５と、通信部１６とを備える。
【００４７】
入力部１１は、外部からの情報を入力する。この入力部１１は、ネットワークＮＷを介して外部装置から送信された情報を受信する受信部であってもよい。
また、入力部１１は、空間情報入力部１１１と、投稿情報入力部１１２と、位置情報入力部１１３とを備える。
空間情報入力部１１１は、カメラ３０、電力検出装置４０、温度湿度取得装置５０、およびマイク６０と、ＩＤ読取装置７０と接続され、空間情報を入力する。
投稿情報入力部１１２は、ネットワークＮＷを介してユーザ端末２０と接続され、投稿情報を入力する。
位置情報入力部１１３は、ネットワークＮＷを介してユーザ端末２０と接続され、位置情報を入力する。
【００４８】
登録部１２は、入力部１１が入力した情報を、情報毎に予め決められた記憶部１３の記憶領域に書き込む。
記憶部１３は、空間情報管理テーブル１３１と、投稿情報管理テーブル１３２と、位置情報管理テーブル１３３とを備える。
この空間情報管理テーブル１３１は、空間情報を記憶する記憶領域を示すテーブルである。この空間情報管理テーブル１３１の一例を、図６、７に示す。
【００４９】
図６には、空間情報として、カメラ３０が撮像した撮像画像を記憶する記憶領域を示す空間情報管理テーブル（撮像画像）１３１１の一例を示す。この空間情報管理テーブル（撮像画像）１３１１は、空間情報管理テーブル１３１の一例である。
この空間情報管理テーブル（撮像画像）１３１１は、オフィス内の位置情報と、時刻と、撮像画像とをそれぞれ対応づけるテーブルである。
オフィス内の位置情報とは、カメラ３０が設置されている共有空間における位置を示す情報である。このオフィス内の位置情報は、例えば、第１会議室、リフレッシュルーム、研修室等の部屋の名前を示す情報であってもよく、これら部屋毎に割り当てられた固有の識別番号を示す情報であってもよい。
時刻とは、撮像画像が撮像された撮像時刻を示す情報である。
撮像画像とは、カメラ３０によって撮像された撮像画像を示す情報である。なお、撮像画像の画像データ自体は、記憶部１３に格納されている。
【００５０】
図７には、空間情報として、電力検出装置４０が検出した消費電力を示す消費電力情報を記憶する空間情報管理テーブル（消費電力）１３１２の一例を示す。この空間情報管理テーブル（消費電力）１３１２は、空間情報管理テーブル１３１の一例である。
この空間情報管理テーブル（消費電力）１３１２は、オフィス内の位置情報と、時刻と、種類と、消費電力量情報とをそれぞれ対応づけるテーブルである。
オフィス内の位置情報とは、消費電力量情報が示す電力量を消費した電気機器類が設置されている共有空間内の位置を示す情報である。このオフィス内の位置情報は、上述の通り、例えば、第１会議室、リフレッシュルーム、研修室等の部屋の名前を示す情報や、これら部屋毎に割り当てられた固有の識別番号を示す情報であってもよい。また、より広いエリアであって、オフィス１階、オフィス２階等を示す情報であってもよい。
時刻とは、消費電力量情報が示す電力量が消費された時間帯を示す情報である。
種類とは、消費電力量情報が示す電力量の種類を示す情報である。例えば、種類「空調」は、共有空間に設置されたエアコンや空気清浄機等の空調設備によって消費された消費電力量であることを示す。また、種類「照明」は、共有空間に設置された照明機器によって消費される消費電力量であることを示す。さらに、種類「コンセント」は、共有空間に設置されたコンセントを介して消費される消費電力量であることを示す。
消費電力量情報は、電力検出装置４０によって検出された消費電力量に基づき、それぞれ対応付けられているオフィス内の位置、時刻、および種類に対応する消費電力量を示す情報である。
【００５１】
この投稿情報管理テーブル１３２は、投稿情報を記憶する記憶領域を示すテーブルである。この投稿情報管理テーブル１３２の一例を、図８に示す。
この投稿情報管理テーブル１３２は、端末ＩＤと、投稿時刻と、投稿情報とをそれぞれ対応づけるテーブルである。
端末ＩＤは、投稿情報の送信元であるユーザ端末２０を識別するために割り当てられた固有の識別情報である。なお、端末ＩＤは、各メンバーが使用している端末を示す情報であるため、各メンバーを識別するための識別情報（メンバー識別情報）でもある。
投稿時刻は、投稿情報が投稿された時刻を示す。
投稿情報は、送信元のユーザ端末２０から受信した投稿情報である。
【００５２】
この位置情報管理テーブル１３３は、位置情報を記憶する記憶領域を示すテーブルである。この位置情報管理テーブル１３３の一例を、図９に示す。
この位置情報管理テーブル１３３は、端末ＩＤと、時刻と、位置情報とをそれぞれ対応づけるテーブルである。
端末ＩＤは、位置情報の送信元であるユーザ端末２０を識別するために割り当てられた固有の識別情報である。なお、端末ＩＤは、各メンバーが使用している端末を示す情報であるため、各メンバーを識別するための識別情報（メンバー識別情報）でもある。
時刻は、位置情報が取得された時刻を示す。
位置情報は、送信元のユーザ端末２０から受信した位置情報である。
【００５３】
表示情報生成部１４は、記憶部１３に記憶されている空間情報と投稿情報に基づき、投稿情報が投稿された時刻に関連する空間情報を投稿情報とともに表示部２２に表示させる共有情報を生成する。本実施形態において、表示情報生成部１４は、空間情報と投稿情報に基づき、図３に示したような共有メイン画面を表示部２２に表示させるための共有情報を生成する。
また、表示情報生成部１４は、記憶部１３に記憶されている位置情報と投稿情報に基づき、投稿情報が投稿された地図上の位置に関連付けて投稿情報を表示部２２に表示させる共有情報を生成する。本実施形態において、表示情報生成部１４は、空間情報と投稿情報に基づき、図４に示したような共有地図画面を表示部２２に表示させるための共有情報を生成する。
【００５４】
情報解析部１５は、記憶部１３に記憶されている空間情報に基づき、共有空間の状況を視覚化して表現するための情報を生成する。例えば、情報処理装置１０が、消費電力量に応じて消費電力量照明装置８０の発光色を変更する消費電力量照明装置８０に接続されているとする。この場合、情報解析部１５は、消費電力量情報に基づき、この消費電力量照明装置８０を制御するための制御信号を生成し、消費電力量照明装置８０に出力する。この情報解析部１５は、例えば、消費電力の合計値が閾値未満である場合、青色の発光色で発光するように消費電力量照明装置８０を制御する。一方、消費電力の合計値が閾値以上である場合、情報解析部１５は、赤色の発光色で発光するように消費電力量照明装置８０を制御する。
【００５５】
通信部１６は、ネットワークＮＷを介して、ユーザ端末２０、カメラ３０、電力検出装置４０、温度湿度取得装置５０、およびマイク６０と接続し、情報の送受信を行う。この通信部１６は、例えば、ユーザ端末２０から投稿情報を受信し、表示情報生成部１４が生成した共有情報をユーザ端末２０に送信する。また、通信部１６は、カメラ３０、電力検出装置４０、温度湿度取得装置５０、およびマイク６０から空間情報を受信する。
【００５６】
次に、図１０を参照して、本実施形態に係るユーザ端末２０の構成例について説明する。このユーザ端末２０は、操作部２１と、表示部２２と、通信部２３と、表示制御部２４と、投稿情報生成部２５と、位置情報検出部２６と、記憶部２７とを備える。
【００５７】
操作部２１は、ユーザの操作を受け付け、受け付けた操作内容を示す操作情報を出力する。この操作部２１は、例えば、マウス、キーボード、タッチパネル等が利用可能である。
表示部２２は、表示制御部２４によって制御され、制御された画像を表示する。この表示部２２は、例えば、液晶パネル等が利用可能である。
通信部２３は、ネットワークＮＷを介して情報処理装置１０と接続し、情報の送受信を行う。この通信部２３は、例えば、情報処理装置１０から共有情報を受信し、受信した共有情報を表示制御部２４に出力する。
【００５８】
表示制御部２４は、入力する情報に基づき、表示部２２に画像表示するための画像を作成し、表示部２２に表示させる。この表示制御部２４は、例えば、通信部２３を介して情報処理装置１０から受信した共有情報に基づき、図３に示した共有メイン画面や、図４に示した共有地図画面を、表示部２２に表示させる。
【００５９】
投稿情報生成部２５は、操作部２１を介して入力される投稿情報に、各ユーザ端末２０を識別するために割り当てられた固有の識別情報（以下、端末ＩＤという）を対応付けて、通信部２３を介して、この投稿情報と端末ＩＤとが対応付けられた情報を情報処理装置１０に送信する。
【００６０】
位置情報検出部２６は、例えば、ＧＰＳ衛星から送信される位置情報を受信する受信部である。この位置情報検出部２６は、取得した位置情報に端末ＩＤを対応付けて、通信部２３を介して、この位置情報と端末ＩＤとが対応付けられた情報を情報処理装置１０に送信する。
記憶部２７は、通信部２３を介して情報処理装置１０から受信した共有情報を記憶する。この共有情報には、空間情報、投稿情報、位置情報等が含まれている。
【００６１】
次に、図１１を参照して、本実施形態による空間情報の視覚化について説明する。図１１には、共有空間によって取得された空間情報に基づき、共有空間の状況を視覚化した一例を示す。
上述の通り、ユーザ端末２０は、共有情報に基づき、カメラ３０によって撮像された共有空間内の画像を、カメラ情報表示エリアＡ１に表示する。
また、ユーザ端末２０は、共有情報に基づき、電力検出装置４０によって検出された共有空間内で消費される消費電力量を示す消費電力グラフを消費電力表示エリアＢ２に表示する。
さらに、情報処理装置１０の情報解析部１５による解析結果に基づき、消費電力量照明装置８０が、消費電力量が閾値以上になった場合、照明の発光色を青から赤に変更させ、また、消費電力が閾値未満となった場合、照明の発光色を赤から青に変更させる。
このように、情報処理装置１０は、空間情報に基づき、共有空間の状況をわかりやすく視覚化した情報をユーザ端末２０や消費電力量照明装置８０に表示させることができる。これにより、メンバーは、共有空間の状況を視覚情報により確認することができるため、メンバー間で手軽で簡単に共有空間を共有することができる。
【００６２】
ここで、図１２を参照して、消費電力量照明装置８０の一例について説明する。図１２は、本実施形態に係る消費電力量照明装置８０の一例を説明するための図である。
図１２に示す通り、消費電力量照明装置８０は、例えば、８個の照明装置（例えば、有機ＥＬ）８１〜８８を備える。この消費電力量照明装置８０は、情報処理装置１０からの制御信号に従って、この照明装置８１〜８８の発光色を制御する。
この消費電力量照明装置８０は、情報処理装置１０からの制御信号に基づき、例えば、現在時刻に応じた光の演出を照明装置８１〜８８で表現する。例えば、夏の時期には、照明によるゆらぎの演出や、木漏れ日のような光を提供する演出等を提供する。また、消費電力量照明装置８０は、お昼休みや帰宅時刻、その他定刻になったことを知らせるイベントの演出等を提供するものであってもよい。さらに、消費電力量照明装置８０は、情報処理装置１０の情報解析部１５の解析結果に基づき、消費電力量の合計値が閾値を超えた場合、赤く光る。これにより、節電を呼びかけることができる。
【００６３】
次に、本実施形態に係る情報処理システム１における情報処理の一例について説明する。
例えば、情報処理装置１０の空間情報入力部１１１は、カメラ３０が撮像した撮像画像の画像データと、このカメラ３０に割り当てられた識別番号を示す情報（つまり、カメラ３０が設置されている共有空間内の位置を示す情報）と、この撮像画像が撮像された時刻を示す情報とを入力する。
また、情報処理装置１０の空間情報入力部１１１は、電力検出装置４０が検出した消費電力量を示す消費電力量情報と、この電力検出装置４０が消費電力量を検出した時刻を示す情報と、この電力検出装置４０が消費電力量を検出した電気機器の種類を示す情報と、この電力検出装置４０が消費電力量を検出した電気機器が設置されている共有空間内の位置を示す情報とを入力する。
さらに、情報処理装置１０の空間情報入力部１１１は、温度湿度取得装置５０が取得した温度情報および湿度情報と、この温度情報および湿度情報が検出された時刻を示す情報と、この温度情報および湿度情報を検出した温度センサ５１および湿度センサ５２が設置されている共有空間内の位置を示す情報とを入力する。
また、情報処理装置１０の空間情報入力部１１１は、マイク６０が収音した音情報と、この音情報が検出された時刻を示す情報と、この音情報を検出したマイク６０が設置されている共有空間内の位置を示す情報とを入力する。
【００６４】
情報処理装置１０の投稿情報入力部１１２は、投稿情報と、この投稿情報の送信元のユーザ端末２０を示す端末ＩＤと、この投稿情報が投稿された時刻を示す投稿時刻を示す情報とを入力する。
情報処理装置１０の位置情報入力部１１３は、位置情報と、この位置情報の送信元のユーザ端末２０を示す端末ＩＤと、この位置情報が投稿された時刻を示す時刻を示す情報とを入力する。
【００６５】
情報処理装置１０の登録部１２は、空間情報入力部１１１、投稿情報入力部１１２、位置情報入力部１１３が入力した情報を、それぞれ、記憶部１３の空間情報管理テーブル１３１、投稿情報管理テーブル１３２、位置情報管理テーブル１３３に書き込む。
【００６６】
例えば、通信部１６が、ユーザ端末２０から共有メイン画像を表示するための共有情報の送信を要求することを示すリクエスト情報を受信したとする。この通信部１６は、表示情報生成部１４に、共有メイン画像を表示するための共有情報の生成を指示する。
表示情報生成部１４は、この指示に従って、記憶部１３に記憶されている空間情報と投稿情報に基づき、図３に示したような共有メイン画面を表示部２２に表示させるための共有情報を生成する。この表示情報生成部１４は、例えば、空間情報と投稿情報に対応付けられている時刻を示す情報に基づき、現在時刻から予め決められた時間だけ過去に遡った期間に対応する空間情報と投稿情報とを取得し、取得した空間情報と投稿情報に基づき、図３に示したような共有メイン画面を表示部２２に表示させるための共有情報を生成する。
【００６７】
また、通信部１６が、例えば、ユーザ端末２０から共有地図画面を表示するための共有情報の送信を要求することを示すリクエスト情報を受信したとする。この通信部１６は、表示情報生成部１４に、共有地図画面を表示するための共有情報の生成を指示する。
表示情報生成部１４は、記憶部１３に記憶されている位置情報と投稿情報に基づき、図４に示したような共有地図画面を表示部２２に表示させるための共有情報を生成する。この表示情報生成部１４は、例えば、位置情報と投稿情報に対応付けられている時刻を示す情報に基づき、現在時刻から予め決められた時間だけ過去に遡った期間に対応する位置情報と投稿情報とを取得し、取得した位置情報と投稿情報に基づき、図４に示したような共有地図画面を表示部２２に表示させるための共有情報を生成する。
そして、通信部１６は、リクエスト情報を送信した送信元のユーザ端末２０に、生成した共有情報を送信する。
【００６８】
ユーザ端末２０の通信部２３が、情報処理装置１０から、図３に示したような共有メイン画面を表示部２２に表示させるための共有情報を受信したとする。通信部２３は、受信した共有情報を表示制御部２４に出力する。この表示制御部２４は、入力する共有情報に基づき、図３に示したような共有メイン画面を、表示部２２に表示させる。
具体的に説明すると、表示制御部２４は、情報処理装置１０から受信した共有情報に基づき、空間情報に基づく情報をカメラ情報表示エリアＡ１および消費電力表示エリアＢ２に表示させる。また、表示制御部２４は、情報処理装置１０から受信した共有情報に基づき、投稿情報に基づく情報を投稿情報表示エリアＡ３に表示させる。言い換えると、表示制御部２４は、投稿情報が投稿された時刻に関連する空間情報を投稿情報とともに表示部２２に表示させる。なお、表示制御部２４は、入力する共有情報に基づき、最新の空間情報と最新の投稿情報を表示するような共有メイン画面を表示する。
【００６９】
ここで、操作部２１を介して、例えば、カメラ情報表示エリアＡ１内の俯瞰図Ｂ１に示されるリフレッシュルームに相当する部分にアイコンが合わされたとする。表示制御部２４は、この操作部２１から入力される操作内容を示す操作情報に基づき、情報処理装置１０から受信した、リフレッシュルームに設置されているカメラ３０によって撮像された撮像画像の画像データを取得する。そして、ユーザ端末２０の表示制御部２４は、このリフレッシュルームに設置されているカメラ３０によって撮像された撮像画像の画像データに基づき、カメラ情報表示エリアＡ１内のメイン撮像画像Ｂ２にリフレッシュルームを撮像した撮像画像を表示させる。
【００７０】
また、操作部２１を介して、例えば、カメラ情報表示エリアＡ１内の俯瞰図Ｂ１に示されるリフレッシュルームに相当する部分にアイコンが合わされた場合、表示制御部２４は、この操作部２１から入力される操作内容を示す操作情報に従って、共有情報に基づき、このリフレッシュルーム付近のエリアの消費電力を示すグラフを、消費電力表示エリアＡ２に表示する。表示制御部２４は、オフィス全体の消費電力を示すグラフを消費電力表示エリアＡ２に表示するものであってもよく、また、オフィス内のうち、少なくともリフレッシュルームを含む一部のエリアの消費電力を示すグラフを消費電力表示エリアＡ２に表示するものであってもよい。
【００７１】
次いで、操作部２１を介して、例えば、タイムラインＢ４上に表示されている時刻指定アイコンＢ５を、タイムラインＢ４上を移動させる操作がなされたとする。表示制御部２４は、この操作部２１から入力される操作内容を示す操作情報に基づき、情報処理装置１０から受信した、リフレッシュルームに設置されているカメラ３０によって撮像された撮像画像の画像データのうち、タイムラインＢ４上の時刻指定アイコンＢ５が示す指定時刻に対応する撮像画像を、メイン撮像画像Ｂ２に表示させる。
つまり、表示制御部２４は、タイムラインＢ４上の時刻指定アイコンＢ５が示す指定時刻に基づき、リフレッシュルームに設置されているカメラ３０によって撮像された撮像画像の画像データに対応付けられている時刻情報を参照して、この指定時刻を含む期間において撮像された撮像画像を、メイン撮像画像Ｂ２に表示させる。
【００７２】
また、操作部２１を介して、例えば、タイムラインＢ４上に表示されている時刻指定アイコンＢ５を、タイムラインＢ４上を移動させる操作がなされた場合、表示制御部２４は、消費電力表示エリアＡ２に表示されているタイムラインＢ４に連動して各グラフ上を移動するタイムライン時間軸バーＧ４が重畳して表示される。
つまり、表示制御部２４は、タイムラインＢ４上の時刻指定アイコンＢ５が示す指定時刻に基づき、消費電力量情報に対応付けられている時刻情報を参照して、この指定時刻を含む期間において消費された消費電力量を示すグラフを、消費電力表示エリアＡ２に表示させる。
【００７３】
このように、本実施形態に係るユーザ端末２０は、情報処理装置１０が受信した共有情報に基づき、図３に示すような共有メイン画面、つまり、投稿情報が投稿された時刻に関連する空間情報を投稿情報とともに表示部２２に表示させることができる。
よって、空間に関する多様な情報を一覧表示することができ、リアリティを増した状況の共有が可能となる。
また、共有空間に存在するアンビエントな情報と人が意図的に発信するリテラルな情報を同時に表示することによる状況把握の迅速化を図ることができる。
さらに、情報量や電力消費など、メンバーによって意識されにくい情報を可視化することにより、エコ意識を向上させることができる。
また、自分自身を含め、同じ会社内にいる他のメンバーや共有空間の状況等の情報を共有できる場が提供されることにより、各メンバーの情報共有意識を向上させることができる。
【００７４】
さらに、参加メンバーが互いに状況を共有することにより、組織への帰属意識を向上させることができる。
また、空間情報を視覚化することで、状況共有に基づく勤怠管理へのサゼッション機能を持たせることにより、健康増進、ワークライフバランスの改善に貢献することができる。
さらに、異なる時間や空間において取得された情報をメンバー間で共有することができるため、メンバー同士が互いの状況を共有することができる。
また、ユーザ端末２０のメンバーが自宅や外出先等のオフィス外にいる場合であっても、オフィス内の状況を知ることができるようになった。これにより、参加メンバーが互いの状況や、オフィス内の状況を共有することができるようになるため、組織への帰属意識を向上させることができる。また、参加メンバー同士が円滑なコミュニケーションを図るために貢献することができる。
【００７５】
なお、一般の会社では、事業や担当分野毎に、限られたメンバー同士で構成されるチーム単位で働くことが多い。この場合、同じ会社であっても、他のチームのメンバーのことや、他のメンバーの仕事状況等を共有できない場合がある。また、勤務形態がチーム毎に異なる場合も多く、オフィスにあまり出社しないメンバーにとっては、オフィス内の実際の状況を知る機会や、また、オフィス内で他のメンバーと話したりする機会がなかった。
本発明に係る情報処理システム１は、共有情報をメンバーに提供することにより、メンバー同士のつながりを強化する機会を創出することができる。よって、より良い職場環境づくりに貢献することができる。
【００７６】
また、操作部２１を介して、タイムラインＢ４上に表示されている時刻指定アイコンＢ５が移動されると、表示制御部２４は、この時刻指定アイコンＢ５が示す指定時刻に連動して、メイン撮像画像Ｂ２に表示される画像を変更するとともに、消費電力表示エリアＡ２に表示されるタイムライン時間軸バーＧ４の位置を変更することができる。
これにより、様々な情報をタイムラインに紐付けすることで閲覧性を向上させ、情報共有を促進することが可能となる。
【００７７】
さらに、ユーザ端末２０には、安価で簡易にパーソナライズできるインターフェースを適用することが好ましい。これにより、マルチデバイスに対応可能であり、いつでもどこでも、共有空間の状況や参加メンバーの状況を共有することができる。
【００７８】
また、本実施形態に係る情報処理システム１は、空間情報、投稿情報、位置情報のような、インフォーマルな情報をメンバー同士で共有することができる。よって、メンバー同士でのコミュニケーションも取りやすくなり、快適な職場環境づくりに貢献することができる。
【００７９】
次に、操作部２１を介して、図３に示す共有メイン画面に表示されている画面切替タブＥ１がクリックされたとする。通信部２３は、操作部２１が受け付けた操作内容を示す操作情報に基づき、共有地図画面を表示するための共有情報の送信を要求することを示すリクエスト情報を生成し、ネットワークＮＷを介して情報処理装置１０に送信する。
情報処理装置１０の表示情報生成部１４は、通信部１６を介して、共有地図画面を表示するための共有情報の送信を要求することを示すリクエスト情報を受信すると、記憶部１３に記憶されている位置情報と投稿情報に基づき、図４に示したような共有地図画面を表示部２２に表示させるための共有情報を生成する。そして、通信部１６は、リクエスト情報を送信した送信元のユーザ端末２０に、生成した共有情報を送信する。
【００８０】
そして、ユーザ端末２０の通信部２３が、情報処理装置１０から、図４に示したような共有地図画面を表示部２２に表示させるための共有情報を受信する。通信部２３は、受信した共有情報を表示制御部２４に出力する。この表示制御部２４は、入力する共有情報に基づき、表示部２２に表示されている画面を、図３に示したような共有メイン画面から、図４に示したような共有地図画面に切り替える。
具体的に説明すると、表示制御部２４は、情報処理装置１０から受信した共有情報に基づき、位置情報表示エリアＦ１に地図を表示する。
この表示制御部２４は、位置情報に基づき、メンバーの位置を示すアイコンＨ１を地図上に重畳して表示させる。表示制御部２４は、投稿情報に基づき、メンバーの位置を示すアイコンＨ１の近くに、このメンバーが投稿した投稿情報を示す吹き出しＨ２を表示させる。
また、表示制御部２４は、共有空間であるオフィスの位置を示すアイコンＨ３を地図上に重畳して表示させる。表示制御部２４は、空間情報に基づき、オフィスの位置を示すアイコンＨ３の近くに、このオフィスである共有空間に関する空間情報を示す吹き出しＨ４を表示させる。
【００８１】
ここで、操作部２１を介して、例えば、位置情報表示エリアＦ１内のタイムラインＨ５上に表示されている時刻指定アイコンＨ６を、タイムラインＨ５に沿って移動させる操作がなされた場合、表示制御部２４は、このタイムラインＨ５上の時刻指定アイコンＨ６が示す指定時刻に対応する位置情報を、地図上に表示させる。
つまり、表示制御部２４は、タイムラインＨ５上の時刻指定アイコンＨ６が示す指定時刻に基づき、位置情報に対応付けられている時刻情報を参照して、この指定時刻を含む期間において取得された位置情報が示す位置情報表示エリアＦ１の地図上の位置に、メンバーの位置を示すアイコンＨ１を表示させる。
【００８２】
なお、本発明はこれに限られず、例えば、以下のような構成であってもよい。
例えば、情報処理装置１０は、生成した共有情報を、共有空間に設置されているデジタルサイネージに送信するものであってもよい。これにより、デジタルサイネージは、図３に示す共有メイン画面や、図４に示す共有地図画面を表示することができる。共有空間内にいるメンバーは、ユーザ端末２０だけでなく、共有空間を移動中にデジタルサイネージからも共有情報を得ることができる。
つまり、上述のデジタルサイネージは、共有情報を受信する通信部と、共有情報に基づき、投稿情報が投稿された時刻に関連する空間情報を投稿情報とともに表示部に表示させる表示制御部と、を備える表示制御装置である。なお、本実施形態に係るユーザ端末２０は、共有情報を受信する通信部２３と、共有情報に基づき、投稿情報が投稿された時刻に関連する空間情報を投稿情報とともに表示部２２に表示させる表示制御部２４と、を備える表示制御装置である。
また、ユーザ端末２０は、少なくとも通信部２３と、表示制御部２４とを備える表示制御装置であるが、情報処理装置１０に含まれる各構成を備えるものであってもよい。つまり、ユーザ端末２０は、情報処理装置１０あるいは他の外部装置から受信した情報に基づき共有情報を生成する表示情報生成部１４と同様の構成を備えるものであってもよい。よって、本発明に係る情報処理装置には、ユーザ端末２０も含まれる。
【００８３】
また、位置情報としては、ユーザ端末２０がＧＰＳ衛星から受信する位置情報を例に説明したが、本発明はこれに限られない。例えば、街に設置されている無線ＬＡＮ通信のアクセスポイントに割り当てられたＩＤ情報が示す位置情報であってもよい。また、カメラ３０によって撮像された撮像画像からメンバーを検出し、検出されたメンバーの共有空間内における位置を示す位置情報であってもよい。
さらに、共有地図画面の位置情報表示エリアＦ１には、２３区の地図が表示される例について説明したが、本発明はこれに限られず、例えば、共有空間内の俯瞰図を表示するものであってもよい。この場合、ユーザ端末２０は、共有空間内におけるメンバーの位置を位置情報表示エリアＦ１に表示するものであってもよい。
【００８４】
また、ユーザ端末２０は、投稿情報表示エリアＡ３に表示される投稿情報を、カメラ情報表示エリアＡ１に表示されているタイムラインＢ４上の指定時刻に連動して、変更させるものであってもよい。
つまり、ユーザ端末２０の表示制御部２４は、タイムラインＢ４上の時刻指定アイコンＢ５が示す指定時刻に基づき、投稿情報に対応付けられている時刻情報を参照して、この指定時刻に最も近い時刻に投稿された投稿情報から時系列に過去の投稿情報を、投稿情報表示エリアＡ３に表示させる。
【００８５】
さらに、ユーザ端末２０は、位置情報表示エリアＦ１に表示される吹き出しＨ２、Ｈ４に表示される投稿情報や空間情報を、タイムラインＨ５上の指定時刻に連動して、変更させるものであってもよい。
つまり、ユーザ端末２０の表示制御部２４は、タイムラインＨ５上の時刻指定アイコンＨ６が示す指定時刻に基づき、投稿情報に対応付けられている時刻情報を参照して、この指定時刻に最も近い時刻に投稿された投稿情報や、指定時刻に最も近い時刻に撮像された撮像画像を、吹き出しＨ２、Ｈ４に表示させる。
【００８６】
また、ユーザ端末２０は、共有メイン画面において、カメラ情報表示エリアＡ１、消費電力表示エリアＡ２、投稿情報表示エリアＡ３、およびメンバー情報表示エリアＡ４の位置が、予め決められている例について説明したが、本発明はこれに限られない。例えば、各エリアのレイアウトをメンバーが自由に変更できるようなものであってよい。また、新たな表示エリアを追加して、メンバーが要求する共有情報を表示させるものであってもよい。なお、各エリアのレイアウトをメンバーが自由に変更、追加するための方法は、一般的な技術を利用可能であるため、詳細な説明は省略する。
【００８７】
さらに、ユーザ端末２０は、投稿情報を投稿する場合、投稿された際の絶対位置を示す位置情報を、投稿情報に対応付けて情報処理装置１０に送信するものであってもよい。この場合、情報処理装置１０は、受信した投稿情報と位置情報とを対応付けて投稿情報管理テーブル１３２に書き込む。よって、情報処理装置１０は、共有情報として、投稿情報と位置情報とを対応付けた情報をユーザ端末２０に送信することができる。
【００８８】
次に、図１３を参照して、ユーザ端末２０に表示する共通情報の他の例ついて説明する。図１３は、本実施形態に係る共有情報の一例を説明するための図である。
図１３に示す例では、共有情報に基づき、ユーザ端末２０に表示される共有情報検索画面を例に、以下説明する。
共有情報検索画面には、空間情報や投稿情報を表示する共有情報表示エリアＪ１と、この共有情報表示エリアＪ１に表示されている共有情報の検索条件を入力する検索条件入力エリアＪ２と、共有情報表示エリアＪ１に表示されている共有情報の表示内容を変更する操作を受けつける操作アイコン表示エリアＪ３とを含む。
【００８９】
検索条件入力エリアＪ２には、検索条件として、「時」「場所」「メンバー」「属性」を入力する入力欄が表示されている。なお、「メンバー」とは、メンバーの氏名やメンバーＩＤを入力する欄である。「属性」とは、メンバーの属性、つまり、所属部署やチーム名等を入力する欄である。
ユーザ端末２０の表示制御部２４は、操作部２１を介して入力されるこの検索条件に従って、記憶部１３を参照し、検索条件にマッチする空間情報、投稿情報、位置情報等を検索し、検索して得た空間情報、投稿情報、位置情報等を共有情報表示エリアＪ１に表示させる。あるいは、通信部２３が、操作部２１を介して入力されるこの検索条件に従って、検索条件にマッチする空間情報、投稿情報、位置情報等を含む共有情報の送信を情報処理装置１０に要求する。表示制御部２４は、情報処理装置１０から受信した共有情報に含まれる空間情報、投稿情報、位置情報等を共有情報表示エリアＪ１に表示させる。
【００９０】
共有情報表示エリアＪ１には、共有情報に基づく空間情報や投稿情報が表示されている。ユーザ端末２０の表示制御部２４は、検索条件入力エリアＪ２に入力された検索条件にマッチする空間情報、投稿情報、位置情報等を、共有情報から取得する。表示制御部２４は、取得した空間情報、投稿情報、位置情報を、予め決められた表現形態で共有情報表示エリアＪ１に表示させる。
本実施形態において、表示制御部２４は、カメラ３０によって撮像された撮像画像のうち、指定された検索条件（例えば、時、場所等）にマッチする撮像画像を共有情報表示エリアＪ１に表示させる。
また、表示制御部２４は、投稿情報のうち、指定された検索条件（例えば、メンバー、属性等）にマッチする投稿情報を共有情報表示エリアＪ１に表示させる。
さらに、表示制御部２４は、位置情報のうち、指定された検索条件（例えば、時、場所、メンバー等）にマッチする位置情報を地図上に表わす画面を、共有情報表示エリアＪ１に表示させる。
【００９１】
操作アイコン表示エリアＪ３には、例えば、縮尺変更アイコンＫ１と、タイムラインＫ２と、時刻指定アイコンＫ３とが表示されている。
縮尺変更アイコンＫ１は、タイムラインＫ２の表示単位（例えば、日、週、月）を変更するアイコンである。図示の例では、日にち単位で表示されたタイムラインＫ２が表示されている。
タイムラインＫ２には、複数の情報インデックスＫ４が表示されている。この情報インデックスＫ４は、割り当てられた情報提供アプリケーションを起動させるアイコンである。情報インデックスＫ４がクリックされると、指定されたアプリケーションが起動する。また、ユーザ端末２０は、指定されたアプリケーションにおいて、共有情報表示エリアＪ１に表示されている空間情報、投稿情報、位置情報等を関連付けて表示する。
例えば、地図を表示するアプリケーションの起動を指示する情報インデックスＫ４がクリックされた場合、ユーザ端末２０の表示制御部２４は、共有情報表示エリアに表示されている空間情報、投稿情報等に関連付けられている場所を示す情報や、位置情報等が示す地点を含む周辺地図を表示させる。また、表示制御部２４は、表示した周辺地図上に、空間情報、投稿情報、位置情報等の地点を示すアイコンを表示させる。
【００９２】
時刻指定アイコンＫ３は、操作部２１を介して入力するメンバーの操作により、タイムラインＫ２上を移動される。表示制御部２４は、時刻指定アイコンＫ３が位置しているタイムラインＫ２上の時刻がユーザによって指定されている指定時刻と判定する。この表示制御部２４は、指定時刻を判定した場合、判定した指定時刻に対応する空間情報、投稿情報、位置情報等を共有情報表示エリアＪ１に表示させる。
つまり、表示制御部２４は、時刻指定アイコンＫ３が示す指定時刻に基づき、空間情報、投稿情報、位置情報等に対応付けられている時刻情報を参照して、この指定時刻に最も近い時刻情報と対応付けられている空間情報、投稿情報、位置情報等を、共有情報表示エリアＪ１に表示させる。
このように、情報処理装置１０は、共通情報として共有情報検索画面を表示させるための情報を作成し、ユーザ端末２０が、共有情報検索画面を表示する。これにより、ユーザは、この共有情報検索画面を介して、空間情報、投稿情報、位置情報を検索し、表示させることができる。このように、空間情報、投稿情報、位置情報を共有情報検索画面を介して一元的に検索し、閲覧することが可能となることにより、メンバーは、手軽で簡単に共有空間を共有することができる。
【００９３】
なお、本実施の形態に係る情報処理装置１０およびユーザ端末２０は、内部にコンピュータシステムを有している。そして、動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００９４】
また、各ステップを実現するためのプログラムをコンピュータ読み取り可能な記録媒体に記録して、また、この機能を実現するためのプログラムをコンピュータ読み取り可能な記録媒体に記録して、この記録媒体に記録されたプログラムをコンピュータシステムに読み込ませ、実行することにより、検出対象物の形状情報の推定値を算出する処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００９６】
１…情報処理システム、１０…情報処理装置、２０…ユーザ端末、３０…カメラ、４０…電力検出装置、５０…温度湿度取得装置、６０…マイク、７０…ＩＤ読取装置、８０…消費電力量照明装置、１１…入力部、１２…登録部、１３…記憶部、１４…表示情報生成部、１５…情報解析部、１６…通信部、１１１…空間情報入力部（第１入力部）、１１２…投稿情報入力部（第２入力部）、１１３…位置情報入力部（第３入力部）、２１…操作部、２２…表示部、２３…通信部、２４…表示制御部、２５…投稿情報生成部、２６…位置情報検出部
【図１】
2014010632.tif 000003
【図２】
2014010632.tif 000004
【図５】
2014010632.tif 000005
【図６】
2014010632.tif 000006
【図７】
2014010632.tif 000007
【図８】
2014010632.tif 000008
【図９】
2014010632.tif 000009
【図１０】
2014010632.tif 000010
【図３】
2014010632.tif 000011
【図４】
2014010632.tif 000012
【図１１】
2014010632.tif 000013
【図１２】
2014010632.tif 000014
【図１３】
2014010632.tif 000015